(57)【要約】      （修正有）【課題】フィルタの変形や破損、フィルタの目詰まり及び開閉バルブの損傷を防止できる水素貯蔵用容器を提供する。【解決手段】水素吸蔵合金１１が装填された密閉系容器２１と、該密閉系容器の給排気口３１に接続された給排気管４１と、該給排気管に取付けられた開閉バルブ５１と、該水素吸蔵合金と該開閉バルブとの間に介装されたフィルタとを備える水素貯蔵用容器において、フィルタとして、開閉バルブ側に焼結フィルタ６１と、水素吸蔵合金側に該焼結フィルタよりも目の粗い緩衝フィルタ部材７１とを介装した。【選択図】          図１
2004308763.tif 000002
【特許請求の範囲】
【請求項１】
水素吸蔵合金が装填された密閉系容器と、該密閉系容器の給排気口に接続された給排気管と、該給排気管に取付けられた開閉バルブと、該水素吸蔵合金と該開閉バルブとの間に介装されたフィルタとを備える水素貯蔵用容器において、フィルタとして、開閉バルブ側に焼結フィルタと、水素吸蔵合金側に該焼結フィルタよりも目の粗い緩衝フィルタ部材とが介装されて成ることを特徴とする水素貯蔵用容器。
【請求項２】
焼結フィルタが密閉系容器に介装された請求項１記載の水素貯蔵用容器。
【請求項３】
焼結フィルタが給排気管に介装された請求項１記載の水素貯蔵用容器。
【請求項４】
緩衝フィルタ部材がカオウールである請求項１〜３のいずれか一つの項記載の水素貯蔵用容器。
【発明の詳細な説明】
【０００１】
【発明の属する技術分野】
本発明は水素貯蔵用容器に関し、更に詳しくは密閉系容器に水素吸蔵合金が装填された水素貯蔵用容器に関する。
【０００２】
【従来の技術】
従来、前記のような水素貯蔵用容器として、水素吸蔵合金が装填された密閉系容器と、該密閉系容器の給排気口に接続された給排気管と、該給排気管に取付けられた開閉バルブと、該水素吸蔵合金と該開閉バルブとの間に介装されたフィルタとを備えるものが知られている（例えば特許文献１参照）。同様の水素貯蔵用容器としては、給排気口に接続されたフィルタ内装のノズルが密閉系容器内の水素吸蔵合金中へ延設されたものや、かかるノズルがフィルタを兼ねるものも知られている（例えば特許文献２及び３参照）。ところが、これら従来の水素貯蔵用容器には、水素吸蔵時に発熱膨張する水素吸蔵合金によってフィルタやノズルが変形、更には破損したり、とりわけ水素の吸蔵と放出との繰り返しによって微細化した水素吸蔵合金の微粉体によってフィルタやノズルが目詰まりし、またかかる微粉体の一部がフィルタやノズルを通過して開閉バルブへと到り、これによって該開閉バルブがその開閉を繰り返すうちに損傷するという問題がある。
【０００３】
【特許文献１】
特開平３−１９１２６７号公報
【特許文献２】
特開平７−８３３９６号公報
【特許文献３】
特開平８−２３３２００号公報
【０００４】
【発明が解決しようとする課題】
本発明が解決しようとする課題は、フィルタの変形や破損、フィルタの目詰まり及び開閉バルブの損傷を防止できる水素貯蔵用容器を提供する処にある。
【０００５】
【課題を解決するための手段】
前記の課題を解決する本発明は、水素吸蔵合金が装填された密閉系容器と、該密閉系容器の給排気口に接続された給排気管と、該給排気管に取付けられた開閉バルブと、該水素吸蔵合金と該開閉バルブとの間に介装されたフィルタとを備える水素貯蔵用容器において、フィルタとして、開閉バルブ側に焼結フィルタと、水素吸蔵合金側に該焼結フィルタよりも目の粗い緩衝フィルタ部材とが介装されて成ることを特徴とする水素貯蔵用容器に係る。
【０００６】
本発明に係る水素貯蔵用容器も、水素吸蔵合金が装填された密閉系容器と、該密閉系容器の給排気口に接続された給排気管と、該給排気管に取付けられた開閉バルブと、該水素吸蔵合金と該開閉バルブとの間に介装されたフィルタとを備えている。
【０００７】
本発明に係る水素貯蔵用容器では、フィルタとして、焼結フィルタと該焼結フィルタよりも目の粗い緩衝フィルタ部材とが介装されている。焼結フィルタは金属粉やセラミック粉を粉末成形し、焼結したもので、それ自体は公知のものである。かかる焼結フィルタは水素吸蔵合金と開閉バルブとの間において緩衝フィルタ部材よりも開閉バルブ側に介装されている。具体的には、密閉系容器に内装されていてもよいし、また給排気管に内装されていてもよい。
【０００８】
緩衝フィルタ部材は、緩衝性、言い替えればクッション性を有し、且つフィルタとして、言い替えれば濾材として機能するものである。かかる緩衝フィルタ部材としては、ロックウール、グラスウール、セラミックウール等の無機質繊維状断熱材としてそれ自体は公知のものが挙げられるが、セラミックウールが好ましく、なかでもカオウールが特に好ましい。緩衝フィルタ部材は水素吸蔵合金と開閉バルブとの間において焼結フィルタよりも水素吸蔵合金側に介装されており、通常は水素吸蔵合金及び焼結フィルタに当接した状態で密閉系容器に装填されている。
【０００９】
本発明に係る水素貯蔵用容器は、以上説明したように、水素吸蔵合金が装填された密閉系容器と、該密閉系容器の給排気口に接続された給排気管と、該給排気管に取付けられた開閉バルブと、該水素吸蔵合金と該開閉バルブとの間に介装された緩衝フィルタ部材及び焼結フィルタとを備えるものであるが、更に該水素吸蔵合金への水素の吸蔵や該水素吸蔵合金からの水素の放出をさせ易くするための熱交換手段を備えることもできる。
【００１０】
本発明に係る水素貯蔵用容器によると、水素吸蔵時における水素吸蔵合金の発熱膨張を緩衝フィルタ部材が吸収するので、焼結フィルタの変形や破損を防止できる。また水素の吸蔵と放出との繰り返しによって微細化した水素吸蔵合金の微粉体はその殆どが緩衝フィルタ部材によって捕捉されるので、焼結フィルタの目詰まりを防止できる。更にかかる微粉体の一部が緩衝フィルタ部材を通過したとしても、それらは焼結フィルタによって捕捉され、開閉バルブへと到ることはないので、該開閉バルブの損傷を防止できる。
【００１１】
【発明の実施の形態】
図１は本発明に係る水素貯蔵用容器を例示する断面図である。図１の水素貯蔵用容器は、水素吸蔵合金１１が装填された密閉系容器２１と、密閉系容器１１の給排気口３１に接続された給排気管４１と、給排気管４１に介装された開閉バルブ５１とを備えている。密閉系容器２１は容器本体２１ａとこれに被着された蓋体２１ｂとから成り、給排気口３１は蓋体２１ｂに開設されている。密閉系容器２１には、蓋体２１ｂに嵌着された状態で焼結フィルタ６１が内装されており、また水素吸蔵合金１１と焼結フィルタ６１との間に緩衝フィルタ部材としてのカオウール７１が装填されている。
【００１２】
図２は本発明に係る他の水素貯蔵用容器を例示する断面図である。図２の水素貯蔵用容器は、水素吸蔵合金１２が装填された密閉系容器２２と、密閉系容器２２の給排気口３２に接続された給排気管４２と、給排気管４２に介装された開閉バルブ５２とを備えている。密閉系容器２２は容器本体２２ａとこれに被着された蓋体２２ｂとから成り、給排気口３２は蓋体２２ｂに開設されていて、蓋体２２ｂの内側には給排気口２２ｂを囲むようにリング状の位置決め片２２ｃが突設されている。密閉系容器２２には、蓋体２２ｂの位置決め片２２ｃに嵌着された状態で焼結フィルタ６２が内装されており、また水素吸蔵合金１２と焼結フィルタ６２との間に緩衝フィルタ部材としてのカオウール７２が装填されている。
【００１３】
図３は本発明に係る更に他の水素貯蔵用容器を例示する断面図である。図３の水素貯蔵用容器は、水素吸蔵合金１３が装填された密閉系容器２３と、密閉系容器２３の給排気口３３に接続された給排気管４３と、給排気管４３に介装された開閉バルブ５３とを備えている。給排気管４３は主管４３ａとこれに接続された副管４３ｂとから成り、開閉バルブ５３は主管４３ａに介装されていて、給排気口３３には副管４３ｂが接続されている。主管４３ａの副管４３ｂとの接続部内側にはリング状の位置決め片４３ｃが突設されており、副管４３ｂには副管４３ｂと位置決め片４３ｃとに嵌着された状態で焼結フィルタ６３が内装されていて、また密閉系容器２３には水素吸蔵合金１３と焼結フィルタ６３との間に緩衝フィルタ部材としてのカオウール７３が装填されている。
【００１４】
【発明の効果】
既に明らかなように、以上説明した本発明には、フィルタの変形や破損、フィルタの目詰まり及び開閉バルブの損傷を防止できるという効果がある。
【図面の簡単な説明】
【図１】本発明に係る水素貯蔵用容器を例示する断面図。
【図２】本発明に係る他の水素貯蔵用容器を例示する断面図。
【図３】本発明に係る更に他の水素貯蔵用容器を例示する断面図。
【符号の説明】
１１〜１３・・水素吸蔵合金、２１〜２３・・密閉系容器、２１ａ，２２ａ・・容器本体、２１ｂ，２２ｂ・・蓋体、３１〜３３・・給排気口、４１〜４３・・給排気管、４３ａ・・本管、４３ｂ・・副管、５１〜５３・・開閉バルブ、６１〜６３・・焼結フィルタ、７１〜７３・・カオウール
【図１】
2004308763.tif 000003
【図２】
2004308763.tif 000004
【図３】
2004308763.tif 000005